(57)【要約】【課題】簡易に機器同士の連結が可能な機器連結機構を提供する。【解決手段】リングボス２０が水平方向に回動すると、円筒部材２１に設けられた突起２２がロック機構３０の上部係止体３１に形成された螺旋状溝３６の下端を回動方向に押圧する。上部係止体３１に形成された垂直溝３７の下端には、ケース体１１の上部支持体１２に設けられた突起１４が当接しており、ロック機構３０は、水平方向の回動が規制されている。このため、突起２２は、螺旋状溝３６を押圧することによって、当該螺旋状溝３６を下端から上端まで摺動しつつ、ロック機構３０を押し下げる。【選択図】図１７
2007102961.tif 000002
【特許請求の範囲】
【請求項１】
対向する２つの主面を有する機器に配置され、他の機器との連結を可能とする機器連結機構であって、
円筒状をなし、前記機器の一方の主面に配置されて回動する回動部材と、
円柱状又は円筒状をなし、前記回動部材の内方に配置され、該回動部材の回動によりその回動方向と垂直をなす方向に移動して、前記回動部材の外側の開口面から一部が突出する係止部材とを有することを特徴とする機器連結機構。
【請求項２】
前記係止部材は、突出する側の端面が非円形状であり、前記回動部材の回動角度が所定値に達するまでは前記回動方向と垂直をなす方向に移動し、前記回動部材の回動角度が所定値を超えた後は、該回動部材とともに回動することを特徴とする請求項１に記載の機器連結機構。
【請求項３】
前記係止部材は、突出する側の端面が少なくとも１つの凸部を有する形状であることを特徴とする請求項２に記載の機器連結機構。
【請求項４】
前記係止部材は、外側面に螺旋状の溝を有し、
前記回動部材は、前記回動部材の回動角度が所定値に達するまでは前記螺旋状の溝を摺動する第１の突起を有することを特徴とする請求項２又は３に記載の機器連結機構。
【請求項５】
前記係止部材は、外側面に前記回動部材の回動方向と垂直をなす方向に延在する第１の溝と、前記第１の溝の端部から前記回動部材の回動方向と平行をなす方向に延在する第２の溝とを有し、
前記機器に固定された第２の突起が前記回動部材の回動角度が所定値に達するまでは前記第１の溝を摺動し、前記回動部材の回動角度が所定値に達した後は前記第２の溝を摺動するようにしたことを特徴とする請求項４に記載の機器連結機構。
【請求項６】
前記機器の他方の主面に前記係止部材と対向して配置され、他の機器に配置された前記係止部材の突出する側の端面に対応した形状の孔部を有することを特徴とする請求項１乃至５のいずれかに記載の機器連結機構。
【発明の詳細な説明】
【技術分野】
【０００１】
本発明は、オーディオ機器等の各種機器に配置され、他の機器との連結を可能とする機器連結機構に関する。
【背景技術】
【０００２】
アンプをはじめとするオーディオ機器は、プレイヤーやチューナー等の他の機器と組み合わされてオーディオシステムを構成する。このような複数の機器によって構成されるシステムでは、設置スペースの制限や見映え等の点から積み重ねる等によって、各機器を連結することが要求されることがある。従来、各機器を連結する場合には、１つの取付金具を各機器に当ててネジ止めすることが一般的であった（例えば、特許文献１参照）。
【特許文献１】実開昭６３−６１１９５号公報
【発明の開示】
【発明が解決しようとする課題】
【０００３】
しかし、上述した従来の連結機構では、作業者は、機器の並びを入れ替えたり、メンテナンスにより一部の機器を取り外す際などにおいて、煩雑なネジ止めの作業が必要であり、時間も要する。このため、簡易に機器を連結することが要求されている。
【０００４】
本発明の目的は、上述した問題を解決するものであり、簡易に機器同士の連結が可能な機器連結機構を提供するものである。
【課題を解決するための手段】
【０００５】
本発明の機器連結機構は、対向する２つの主面を有する機器に配置され、他の機器との連結を可能とするものであって、円筒状をなし、前記機器の一方の主面に配置されて回動する回動部材と、円柱状又は円筒状をなし、前記回動部材の内方に配置され、該回動部材の回動によりその回動方向と垂直をなす方向に移動して、前記回動部材の外側の開口面から一部が突出する係止部材とを有する。
【０００６】
この構成により、回動部材を回動させるだけで係止部材がその回動方向と垂直をなす方向に移動して一部が突出する。このため、この突出部分を他の機器に係止させるようにすることで、機器同士の連結が可能となる。また、係止部材を円筒状とすることによって、例えば、積み重ねて連結された複数の機器のうち最下部の機器における係止部材に止め具を貫通させ、その最下部の機器を底板等に固定させることができる。
【０００７】
また、本発明の機器連結機構は、前記係止部材の突出する側の端面が非円形状であり、前記回動部材の回動角度が所定値に達するまでは前記回動方向と垂直をなす方向に移動し、前記回動部材の回動角度が所定値を超えた後は、該回動部材とともに回動する。
【０００８】
この構成により、係止部材の突出部分が他の機器に設けられた孔部を貫通した後、更に回動部材とともに回動することで、孔部から抜けてしまうことが防止され、機器同士を確実に連結することが可能となる。
【０００９】
また、本発明の機器連結機構は、前記係止部材の突出する側の端面が少なくとも１つの凸部を有する形状である。
【００１０】
また、本発明の機器連結機構は、前記係止部材が、外側面に螺旋状の溝を有し、前記回動部材が、前記回動部材の回動角度が所定値に達するまでは前記螺旋状の溝を摺動する第１の突起を有する。
【００１１】
この構成により、回動部材に設けられた凸部は、回動部材の回動角度が所定値に達するまでは、螺旋状の溝を摺動するため、回動部材の回動力を係止部材の回動方向と垂直をなす方向に移動する力に変換することができる。
【００１２】
また、本発明の機器連結機構は、前記係止部材が、外側面に前記回動部材の回動方向と垂直をなす方向に延在する第１の溝と、前記第１の溝の端部から前記回動部材の回動方向と平行をなす方向に延在する第２の溝とを有し、前記機器に固定された第２の突起が前記回動部材の回動角度が所定値に達するまでは前記第１の溝を摺動し、前記回動部材の回動角度が所定値に達した後は前記第２の溝を摺動するようにした。
【００１３】
この構成により、機器に固定された第２の突起が回動部材の回動角度が所定値に達するまでは第１の溝を摺動するため、係止部材が回動部材とともに回動することが防止され、係止部材を回動方向と垂直をなす方向に移動させることが可能となり、更には、第２の突起が回動部材の回動角度が所定値に達した後は第２の溝を摺動するため、係止部材が回動部材とともに回動することができる。
【００１４】
また、本発明の機器連結機構は、前記機器の他方の主面に前記係止部材と対向して配置され、他の機器に配置された前記係止部材の突出する側の端面に対応した形状の孔部を有する。
【００１５】
この構成により、一方の機器の孔部に他方の機器の係止部材が貫通して、これら機器同士を連結させることが可能となる。
【発明の効果】
【００１６】
本発明によれば、回動部材を回動させるだけで係止部材の一部が突出し、他の機器に設けられた孔部を貫通可能となるため、簡易に機器同士の連結が可能となる。
【発明を実施するための最良の形態】
【００１７】
以下、本発明の実施の形態について、図面を参照して具体的に説明する。図１は、２つのオーディオ機器からなる車載用オーディオシステムの外観側面図である。図１に示す車載用オーディオシステムは、アンプ、プレイヤー、チューナー等のオーディオ機器１００−１及び１００−２を積み重ね、これらを連結して構成される。
【００１８】
オーディオ機器１００−１は、上下面が水平となるように配置され、下面に脚部の機能を兼ね備えた下部連結機構１０−１を有するとともに、当該下部連結機構１０−１の直上の上面に上部連結機構４０−１を有する。下部連結機構１０−１は、後述するケース体、リングボス及び係止部材としてのロック機構により構成される。下部連結機構１０−１の一部を構成するケース体と上部連結機構４０−１は、オーディオ機器１００−１の筐体側面を構成するサイドパネル１０２−１と一体成型されている。同様に、オーディオ機器１００−２は、上下面が水平となるように配置され、下面に脚部の機能を兼ね備えた下部連結機構１０−２を有するとともに、当該下部連結機構１０−２の直上の上面に上部連結機構４０−２を有しており、下部連結機構１０−２は、後述するケース体、リングボス及びロック機構により構成される。更に同様に、下部連結機構１０−２の一部を構成するケース体と上部連結機構４０−２は、オーディオ機器１００−２の筐体側面を構成するサイドパネル１０２−２と一体成型されている。以下、下部連結機構１０−１及び１０−２をまとめて適宜「下部連結機構１０」と、上部連結機構４０−１及び４０−２をまとめて適宜「上部連結機構４０」と、サイドパネル１０２−１及び１０２−２をまとめて適宜「サイドパネル１０２」と称する。
【００１９】
図２は、サイドパネル１０２の外観斜視図であり、図３（ａ）は上面図、図３（ｂ）は側面図、図３（ｃ）は図３（ａ）のＡ−Ａ線断面図である。これらの図に示すように、サイドパネル１０２の下端部には下部連結機構１０の一部を構成するケース体１１が設けられ、上端部には上部連結機構４０が設けられている。
【００２０】
下部連結機構１０の一部を構成するケース体１１は、上部支持体１２及び下部支持体１３により構成される。上部支持体１２は半円筒状であり、内側面に円柱状の突起１４が設けられている。一方、下部支持体１３は円形状であり、中央部に、円と当該円の外周から突出して対向する２つの凸部とを組み合わせた形状の孔１５が形成されている。また、上部連結機構４０は円形状であり、中央部に、円と当該円の外周から突出して対向する２つの凸部とを組み合わせた形状の孔４１が形成されている。この孔４１の入口全周には、面取りが形成されている。
【００２１】
図４は、下部連結機構１０の一部を構成する回動部材としてのリングボスの外観斜視図、図５（ａ）は上面図、図５（ｂ）は下面図である。また、図６（ａ）乃至図６（ｄ）は、リングボスの９０°毎の側面図であり、図７は、図５（ａ）のＡ−Ａ線断面図である。これらの図に示すように、リングボス２０は、円筒部材２１を有する。この円筒部材２１の上端部には、内方に向かう突起２２が設けられている。
【００２２】
図８は、下部連結機構１０の一部を構成する係止部材としてのロック機構の外観斜視図、図９（ａ）は上面図、図９（ｂ）は下面図である。また、図１０（ａ）乃至図１０（ｄ）は、ロック機構の９０°毎の側面図であり、図１１（ａ）は図９（ａ）のＡ−Ａ線断面図、図１１（ｂ）は図９（ａ）のＢ−Ｂ線断面図である。
【００２３】
これらの図に示すように、ロック機構３０は、上部係止体３１及び下部係止体３２を有する。上部係止体３１は、円筒状であり、その外側面の下端部からほぼ中央部に向けて螺旋状の溝３６が形成される。この螺旋状溝３６の上端側は壁３９が形成されている。また、上部係止体３１の外側面には垂直方向に延在する溝（垂直溝）３７が形成されるとともに、当該垂直溝３７の上端から水平方向に延在する溝（水平溝）３８が形成されている。一方、下部係止体３２は、上部係止体３１よりも径の小さい円筒状であり、その外側面の下端部には突起３３及び３４が対向配置されている。また、上部係止体３１の下部係止体３２の中央部には、上部係止体３１の上端から下部係止体３２の下端まで貫通する孔３５が形成されている。
【００２４】
以下、オーディオ機器１００−１とオーディオ機器１００−２の連結動作について説明する。連結の際は、図１２に示すように、オーディオ機器１００−１に設けられた下部連結機構１０−１とオーディオ機器１００−２に設けられた上部連結機構４０−２とが対向配置される。
【００２５】
図１３は、初期状態における下部連結機構１０−１の外観斜視図、図１４は、下部連結機構１０−１の側面図である。また、図１５（ａ）は初期状態における下部連結機構１０−１の図１２に示すＡ−Ａ´線断面図、図１５（ｂ）は図１２に示すＡ−Ｂ線断面図である。
【００２６】
これらの図に示すように、リングボス２０は、円筒部材２１の内側面がケース体１１の上部支持体１２及び下部支持体１３の外側面に当接しており、上部の開口面がオーディオ機器１００−１の下面と平行となるように、換言すれば、上部の開口面が水平となるように配置され、水平方向に回動することが可能となっている。このとき、リングボス２０の下部の開口面は、下部支持体１３の下端と略同一の水平面に位置する。
【００２７】
ロック機構３０は、下部係止体３２がケース体１１の上部支持体１２及び下部支持体１３に収容され、上部係止体３１が上方に突出するように配置される。このとき、下部係止体３２における突起３３及び３４が設けられた側の端部（下端）は、ケース体１１の下部支持体１３の孔１５に嵌合し、これら下部係止体３２の下端と下部支持体１３の下端とは、略同一の水平面に位置する。また、上部係止体３１に形成された垂直溝３７の下端には、ケース体１１の上部支持体１２に設けられた突起１４が当接している。更に、上部係止体３１に形成された螺旋状溝３６の下端には、リングボス２０の円筒部材２１に設けられた突起２２が当接している。
【００２８】
オーディオ機器１００−１に設けられた下部連結機構１０−１は、図１６に示すように、オーディオ機器１００−２に設けられた上部連結機構４０−２と対向配置される。そして、下部連結機構１０−１のリングボス２０が水平方向に回動することにより、ロック機構３０が下方に移動して、当該ロック機構３０の下部係止体３２が上部連結機構４０−２に形成された孔４１を貫通し、下部連結機構１０−１と上部連結機構４０−２とが結合する。
【００２９】
図１７は、リングボス２０の回動時における下部連結機構１０−１の外観斜視図であり、図１８は、リングボス２０の回動時における下部連結機構１０−１及び上部連結機構４０−２の外観斜視図である。また、また、図１９（ａ）は、リングボス２０の回動時における下部連結機構１０−１及び上部連結機構４０−２の図１２に示すＡ−Ａ´線断面図、図１９（ｂ）は図１２に示すＡ−Ｃ線断面図である。
【００３０】
リングボス２０が水平方向に回動すると、円筒部材２１に設けられた突起２２がロック機構３０の上部係止体３１に形成された螺旋状溝３６の下端を回動方向に押圧する。しかし、上部係止体３１に形成された垂直溝３７の下端には、ケース体１１の上部支持体１２に設けられた突起１４が当接しており、ロック機構３０は、水平方向の回動が規制されている。このため、突起２２は、リングボス２０の回動時に螺旋状溝３６を押圧することによって、当該螺旋状溝３６を下端から上端まで摺動しつつ、ロック機構３０を押し下げる。この結果、ロック機構３０の下部係止体３２の下端は、図１７に示すように、リングボス２０の下部の開口面及びケース体１１の下部支持体１３の下端よりも下方に突出する。また、ロック機構３０の押し下げによって、ケース体１１の上部支持体１２に設けられた突起１４は、垂直溝３７を下端から上端まで摺動する。
【００３１】
上述したように、上部連結機構４０−２に形成された孔４１は、円と、当該円の外周から突出して対向する２つの凸部とを組み合わせた形状であり、下部係止体３２における突起３３及び３４が設けられた下端に対応する形状となっている。更に、孔４１の２つの凸部形状の向きと、下部係止体３２における突起３３及び３４の向きとが一致している。このため、図１８に示すように、ロック機構３０の下部係止体３２の突出部分が上部連結機構４０−２に形成された孔４１を貫通する。上述したように、孔４１の入口全周には、面取りが形成されており、この面取りは、突起３３及び３４を孔４１に案内する役割を果たす。なお、孔４１の入口全周に面取りが形成される代わりに、突起３３及び３４の下面に面取りが形成されてもよく、あるいは、孔４１の入口全周と突起３３及び３４の下面との双方に面取りが生成されていてもよい。これらの場合も、面取りは、突起３３及び３４を孔４１に案内する役割を果たす。
【００３２】
そして、下部連結機構１０−１のリングボス２０の回動角度が所定値（例えば、４５°、９０°）に達すると、その後は、リングボス２０を更に回動させ、突起２２が螺旋状溝３６の上端側の壁３９を押圧することによって、下方への移動を終了したロック機構３０は、リングボス２０とともに回動し、下部係止体３２の突出部分が上部連結機構４０−２に形成された孔４１にロックされた状態となる。
【００３３】
図２０は、リングボス２０及びロック機構３０の回動時における下部連結機構１０−１と上部連結機構４０−２の外観斜視図である。また、図２１（ａ）は、リングボス２０及びロック機構３０の回動時における下部連結機構１０−１と上部連結機構４０−２の図１２に示すＡ−Ｄ線断面図、図２１（ｂ）は図１２に示すＥ−Ｅ´線断面図である。
【００３４】
下部連結機構１０−１のリングボス２０の回動角度が所定値に達すると、リングボス２０の円筒部材２１に設けられた突起２２がロック機構３０の上部係止体３１に形成された螺旋状溝３６の上端に到達するとともに、ケース体１１の上部支持体１２に設けられた突起１４がロック機構３０の垂直溝３７の上端に到達する。回動角度が所定値に達した後も更にリングボス２０が回動すると、突起２２は、螺旋状溝３６の上端の壁３９を回動方向に押圧する。上述したように、水平溝３８は、垂直溝３７の上端から水平方向に延在している。このため、垂直溝３７の上端に到達した突起１４は、ロック機構３０の水平溝３８を摺動可能な状態となっている。従って、ロック機構３０は、突起２２が螺旋状溝３６の上端を回動方向に押圧することにより、リングボス２０とともに回動する。また、ロック機構３０の回動によって、ケース体１１の突起１４は、水平溝３８を摺動する。
【００３５】
ロック機構３０が回動することによって、上部連結機構４０−２に形成された孔４１を貫通した下部係止体３２の突出部分における突起３３及び３４も回動する。このため、更に、孔４１の２つの凸部形状の向きと、下部係止体３２における突起３３及び３４の向きとが不一致となり、下部係止体３２の突出部分が上部連結機構４０−２に形成された孔４１にロックされた状態となって、孔４１から抜けることが防止される。なお、突起３３及び３４の上面に面取りが形成されてもよい。この面取りは、孔４１を貫通した突起３３及び３４を滑らかに回動させて、下部係止体３２の突出部分を孔４１に確実にロックさせる役割を果たす。
【００３６】
このようにして、オーディオ機器１００−１における下部連結機構１０−１とオーディオ機器１００−２における上部連結機構４０−２とが結合することにより、オーディオ機器１００−１及び１００−２は、オーディオ機器１００−１が上部、オーディオ機器１００−２が下部となって連結される。
【００３７】
ところで、下部のオーディオ機器１００−２は、釘状体の止め具であるＳＣＲによって底板等に固定されることが可能である。オーディオ機器１００−２の底板等への固定は、オーディオ機器１００−１と連結される前に行われる。
【００３８】
図２２は、オーディオ機器１００−２にＳＣＲを取り付けた状態を示す図である。ＳＣＲ４３は、上部連結機構４０−２に形成された孔４１から挿入される。サイドパネル１０２の内面には、孔４１の直下に配置されるようにガイド４２が設けられており、ＳＣＲ４３は、このガイド４２を通過する。
【００３９】
上述したように、下部連結機構１０−２の直上に上部連結機構４０−２が構成されており、更に、下部連結機構１０−２を構成するロック機構３０には、上端から下端まで貫通する孔３５が形成されている。このため、ＳＣＲ４３は、先端４５がロック機構３０を貫通して、下部に露出するとともに、頭部４４がガイド４２によって支持される。そして、ＳＣＲ４３における下部に露出した先端４５が底板等に止められることにより、オーディオ機器１００−２が当該底板等に固定されることが可能となる。なお、ガイド４２を設けることなく、ＳＣＲ４３の頭部４４が上部係止体３１の上面に接触して支持されるようにしてもよい。
【００４０】
なお、上述した実施形態では、オーディオ機器１００−１における１つの下部連結機構１０−１とオーディオ機器１００−２における１つの上部連結機構４０−２とが結合することにより、オーディオ機器１００−１及び１００−２が連結されたが、オーディオ機器１００−１の四隅のそれぞれに下部連結機構１０−１を設けるとともに、オーディオ機器１００−２の四隅のそれぞれに上部連結機構４０−２を設けてこれらを結合させる等、複数の下部連結機構１０−１と複数の上部連結機構４０−２とを結合させるようにすることで、オーディオ機器１００−１及び１００−２をより強固に連結させることができる。また、上段のオーディオ機器１００−１の上部連結機構４０−１における孔４１等、連結に使用されていない孔４１については体裁を得るために塞がれるようにしてもよい。例えば、図２３では、キャップ４６が当該キャップ４６に設けられた弾性爪４７によって孔４１に係止されて、当該孔４１が塞がれる。なお、孔４１は簡易な形状であるため、当該孔４１に係止されるキャップ４６も簡易な形状で形成することができる。
【００４１】
また、上述した実施形態では、初期状態において、下部係止体３２の下端と下部支持体１３の下端とは、略同一の水平面に位置するようにしたが、下部係止体３２の下端が下部支持体１３の下端から若干（例えば２ｍｍ程度）突出した状態としてもよい。この場合には、下部係止体３２の下端を予め若干突出させることにより、当該下部係止体３２を孔４１に嵌め易くすることが可能となる。
【００４２】
また、上述した実施形態では、２つのオーディオ機器１００−１と１００−２とを連結する場合について説明したが、これらと同様に、下部連結機構１０と上部連結機構４０を有する機器であれば、更に積み重ねて連結することができる。また、下部連結機構１０と上部連結機構４０の配置を入れ替えた構成であっても本発明を適用することができる。更に、上述した実施形態では、上下方向に機器を連結する場合について説明したが、水平方向に機器を連結する場合においても同様に本発明を適用することができる。
【産業上の利用可能性】
【００４３】
以上、説明したように、本発明に係る機器連結機構は、簡易に機器同士の連結が可能であり、機器連結機構として有用である。
【図面の簡単な説明】
【００４４】
【図１】車載用オーディオシステムの外観側面図である。
【図２】サイドパネルの外観斜視図である。
【図３】サイドパネルの上面図、側面図及び断面図である。
【図４】リングボスの外観斜視図である。
【図５】リングボスの上面図及び下面図である。
【図６】リングボスの側面図である。
【図７】リングボスの断面図である。
【図８】ロック機構の外観斜視図である。
【図９】ロック機構の上面図及び下面図である。
【図１０】ロック機構側面図である。
【図１１】ロック機構の断面図である。
【図１２】対向配置された下部連結機構及び上部連結機構の第１の外観斜視図である。
【図１３】初期状態における下部連結機構の外観斜視図である。
【図１４】初期状態における下部連結機構の側面図である。
【図１５】初期状態における下部連結機構の断面図である。
【図１６】対向配置された下部連結機構及び上部連結機構の第２の外観斜視図である。
【図１７】リングボス回動時における下部連結機構の外観斜視図である。
【図１８】リングボス回動時における下部連結機構及び上部連結機構の外観斜視図である。
【図１９】リングボス回動時における下部連結機構及び上部連結機構の断面図である。
【図２０】リングボス及びロック機構回動時における下部連結機構及び上部連結機構の外観斜視図である。
【図２１】リングボス及びロック機構回動時における下部連結機構及び上部連結機構の断面図である。
【図２２】オーディオ機器にＳＣＲを取り付けた状態を示す図である。
【図２３】キャップを取りつけた上部連結機構の断面図である。
【符号の説明】
【００４５】
１０−１、１０−２  下部連結機構
１１  ケース体
１２  上部支持体
１３  下部支持体
１４、２２、３３、３４  突起
１５、４１、３５  孔
２０  リングボス
２１  円筒部材
３０  ロック機構
３１  上部係止体
３２  下部係止体
３６  螺旋状溝
３７  垂直溝
３８  水平溝
３９  壁
４０−１、４０−２  上部連結機構
４１  孔
４２  ガイド
４３  ＳＣＲ
４４  頭部
４５  先端
４６  キャップ
４７  弾性爪
１００−１、１００−２  オーディオ機器
１０２−１、１０２−２  サイドパネル
【図１】
2007102961.tif 000003
【図２】
2007102961.tif 000004
【図３】
2007102961.tif 000005
【図４】
2007102961.tif 000006
【図５】
2007102961.tif 000007
【図６】
2007102961.tif 000008
【図７】
2007102961.tif 000009
【図８】
2007102961.tif 000010
【図９】
2007102961.tif 000011
【図１０】
2007102961.tif 000012
【図１１】
2007102961.tif 000013
【図１２】
2007102961.tif 000014
【図１３】
2007102961.tif 000015
【図１４】
2007102961.tif 000016
【図１５】
2007102961.tif 000017
【図１６】
2007102961.tif 000018
【図１７】
2007102961.tif 000019
【図１８】
2007102961.tif 000020
【図１９】
2007102961.tif 000021
【図２０】
2007102961.tif 000022
【図２１】
2007102961.tif 000023
【図２２】
2007102961.tif 000024
【図２３】
2007102961.tif 000025